(57)【特許請求の範囲】
【請求項１】
下水道施設の下水管内及び吐き室に設置され、下水管内の水流を堰とめて堆積物質を排除する遮集水を確保するゲート装置と、該ゲート装置による堰とめを開放して確保した遮集水を流す手段と、前記ゲート装置によって下水管内の目標水位を維持しながら、水位計の信号と連動させて前記ゲート装置を開閉し、下水を下水管内から越流させないように、又は前記吐き室の合流水が越流堰を越えないように制御する手段とを備えることを特徴とする下水道施設の保守システム。
【請求項２】
下水道施設の下水管内及び吐き室に設置され、下水管内の水流を堰とめて堆積物質を排除する遮集水を確保するゲート装置と、該ゲート装置による堰とめを開放して確保した遮集水を流す手段と、気象情報により雨が降る可能性があるか判別し、降雨有である時は、前記ゲート装置により遮集水を確保し、目標水位に達したとき確保した水量を放流する排除運転を行う手段とを備えることを特徴とする下水道施設の保守システム。
【発明の詳細な説明】
【０００１】
【発明の属する技術分野】
本発明は、下水道施設の保守システムであり、特に下水道施設の下水管内に堆積する土砂等を排除することが可能な保守システムに関する。
【０００２】
【従来の技術】
下水道施設では、下水管内の下水中に混入した土砂などが堆積すると、流下能力が低下し、閉塞するばかりでなく、悪臭や有毒ガスの発生防止等の維持管理に支障が生じるため、適宜、清掃や堆積物の排除を行い、管渠の流下能力を確保している。従来、下水管内に蓄積された堆積物の排除方法は、作業車、機械器具を用いた人手での作業であった。また、下水管に設けた流体噴出ノズルを駆動させることも提案されている（特開昭５９−１３４２４４号公報参照）。
【０００３】
【発明が解決しようとする課題】
下水管の清掃は作業者が道路上に機械器具を設置して作業することが多いので、場所によっては交通の支障となり、また、悪臭や騒音の発生、高圧水の使用等の危険な作業となり、交通への支障、作業員の安全性を考慮した堆積物排除が必要である。そして、流体噴出ノズルを駆動させる方式は、使用する流体をどのようにして確保するかという問題が有った。
【０００４】
本発明は、従来の問題を解決するものであり、下水管内の堆積物質の排除を人力に頼ることなく、遠方からの操作でゲートを自動または手動で開閉をすることにより排除することができ、また、悪臭や有毒ガスに発生、高圧水の使用等の危険性はなく、そして、使用する流体の確保を不要とした下水道施設の保守システムを提供することを目的とする。
【０００５】
【課題を解決するための手段】
本発明は、下水道施設の下水管内及び吐き室に設置され、下水管内の水流を堰とめて堆積物質を排除する遮集水を確保するゲート装置と、該ゲート装置による堰とめを開放して確保した遮集水を流す手段と、前記ゲート装置によって下水管内の目標水位を維持しながら、水位計の信号と連動させて前記ゲート装置を開閉し、下水を下水管内から越流させないように、又は前記吐き室の合流水が越流堰を越えないように制御する手段とを備える下水道施設の保守システムである。
【０００８】
また、本発明は、下水道施設の下水管内及び吐き室に設置され、下水管内の水流を堰とめて堆積物質を排除する遮集水を確保するゲート装置と、該ゲート装置による堰とめを開放して確保した遮集水を流す手段と、気象情報により雨が降る可能性があるか判別し、降雨有である時は、前記ゲート装置により遮集水を確保し、目標水位に達したとき確保した水量を放流する排除運転を行う手段とを備える下水道施設の保守システムである。
【０００９】
【発明の実施の形態】
本発明の実施の形態を説明する。
以下、本発明の下水道施設の保守システムの一実施例について、図１〜図３を用いて説明する。図１は、実施例の下水道施設の保守システムの構成説明図である。図２は、実施例の下水道施設の保守システムにおける堆積物質排除実行フローの一例の説明図である。図３は、実施例の下水道施設の保守システムにおける支線及び幹線の堆積物質排除実行フローの一例の説明図である。
【００１０】
実施例を説明する。本実施例の下水道施設の保守システムは、図１に示すように、ゲート１１ａ、１１ｂ、１１ｅ、１１ｆ、モータ１２ａ、１２ｂ、１２ｅ、１２ｆ、水位計１３ａ、１３ｂ、１３ｅ、１３ｆ、越流堰１４ｅ、１４ｆ及び排除制御室用装置２とからなる。排除制御室用装置２は、排除運転指示部及び排除運転管理部を有しており、ゲート装置による下水管内の目標水位を維持しながら、水位計の信号と連動させて下水を下水管内から越流させないように制御する。
【００１１】
本実施例の保守システムの対象となる下水道施設は、汚水と雨水からなる合流水５ｃ〜５ｆを同一の管で収集、処理を行う合流式下水道に適用した管渠施設であり、幹線３１、支線３２ｅ、３２ｆ及びポンプ所４１ｃ、４１ｄ、吐き室（分水槽）４２ｅ、４２ｆ、送水用ポンプ４３ｃ、４３ｄ等を備えている。幹線３１は、ポンプ所４１ｃ、４１ｄ間を、支線３２ｅ、３２ｆは、それぞれ吐き室（分水槽）４２ｅ、４２ｆ−幹線３１間をつないでいる。ポンプ所４１ｃ、４１ｄにはそれぞれ送水用ポンプ４３ｃ、４３ｄが設置されており、ポンプ所４１ｄの送水用ポンプ４３ｄにより、合流水５ｄは処理場（図示せず）へ送られる。吐き室（分水槽）４２ｅ、４２ｆは、合流水５ｅ、５ｆを処理場におくる水と河川に放流する水を分ける。
【００１２】
幹線３１には、支線３２ｅ、３２ｆとの合流点の直前にそれぞれゲート１１ａ、１１ｂ、モータ１２ａ、１２ｂ、水位計１３ａ、１３ｂが配置される。吐き室（分水槽）４２ｅ、４２ｆには、それぞれゲート１１ｅ、１１ｆ、モータ１２ｅ、１２ｆ、水位計１３ｅ、１３ｆ、越流堰１４ｅ、１４ｆが設置される。
【００１３】
実施例の下水道施設の保守システムにおける支線３２ｅ内の堆積物質を排除する動作を説明する。堆積物質排除時に、排除制御室用装置２からの信号によりモータ１２ｅと連動させゲート１１ｅを遮蔽して合流水を確保し、そして、目標水位に達した時、水位計１３ｅからの信号によりモータ１２ｅと連動させてゲート１１ｅを開放して、確保した水量を放流させ、支線３２ｅ内の堆積物質を排除する。なお、合流水５ｅが越流堰１４ｅを越え自然越流水として排水しないようにする。
【００１４】
同様に、幹線３１や支線３２ｆ内の堆積物質を排除する際は、それぞれゲート１１ａ、１１ｂ、１１ｆ、モータ１２ａ、１２ｂ、１２ｆ、水位計１３ａ、１３ｂ、１３ｆを動作させる。幹線３１内に２つゲート１１ａ、１１ｂがあるのは、幹線３１内をゲート１１ａ、１１ｂにより分割することにより排除効率を上げるためであり、線長が長くなるほどゲートの数を多くするのが好ましい。
【００１５】
実施例の下水道施設の保守システムにおける排除制御室用装置２を説明する。排除制御室用装置２の排除運転指示部は気象情報や自動又は手動命令、水位計１３ａ〜１３ｆからの水位情報を受取り、排除運転管理部は、ゲートの開閉をコントロールする。具体的には、気象情報や自動又は手動命令を受け、また、水位計１３ａ〜１３ｆから目標水位に達したとの情報を受取り、モータ１２ａ〜１２ｆを動作させてゲート１１ａ〜１１ｆを開放させる。
【００１６】
実施例の下水道施設の保守システムにおける堆積物質排除の実行フローの一例について、図２を用いて説明する。
Ｓ１０１  スタートする。
Ｓ１０２  気象情報により数日後に雨が降る可能性があるか判し、降雨有であればステップＳ１２１に進み、降雨無であればステップＳ１１１に進む。
Ｓ１１１  前回の排除実行からの経過日が１０日以上であるか判断し、１０日経過していればステップＳ１２１に進み、１０日未満であるとステップ１０２に戻る。
Ｓ１２１  排除運転を実行する。排除運転は、支線、幹線の順に行い、ステップＳ１０２に戻る。
このようにして、実施例の下水道施設の保守システムにおける堆積物質排除を実行することができる。
【００１７】
実施例の下水道施設の保守システムにおける排除運転実行手順について、図３を用いて具体的に説明する。
Ｓ２０１  支線３２ｅ、３２ｆに関する排除を行う。支線３２ｅ、支線３２ｆの順に行う。
Ｓ２０２  ゲート１１ｅを閉じる。
Ｓ２０３  目標水位に到達する。
Ｓ２０４  ゲート１１ｅを開放する。
Ｓ２０５  ゲート１１ｆを閉じる。
Ｓ２０６  目標水位に到達する。
Ｓ２０７  ゲート１１ｆを開放する。
Ｓ２１１  幹線３１に関する排除を行う。
Ｓ２１２  ゲート１１ａを閉じる。
Ｓ２１３  目標水位に到達する。
Ｓ２１４  ゲート１１ａを開放する。
Ｓ２１５  ゲート１１ｂを閉じる。
Ｓ２１６  目標水位に到達する。
Ｓ２１７  ゲート１１ｂを開放する。
このようにして、支線３２ｅ、３２ｆ及び幹線３１の堆積物質の排除運転を実行することができる。
【００１８】
なお、上記実施例では合流式下水道のへの適用事例で説明したが、分流式の汚水管にも適用できる。
【００１９】
【発明の効果】
本発明によれば、下水管内の堆積物質の排除を人力に頼ることなく、遠方からの操作でゲートを自動または手動で開閉をすることにより定期的に排除することができるため水質を改善することができる。また、悪臭や有毒ガスに発生、高圧水の使用等の危険性はなく、そして、使用する流体の確保を不要とした下水道施設の保守システムを得ることができる。
【図面の簡単な説明】
【図１】実施例の下水道施設の保守システムの構成説明図。
【図２】実施例の下水道施設の保守システムにおける堆積物質排除実行フローの一例の説明図。
【図３】実施例の下水道施設の保守システムにおける支線及び幹線の堆積物質排除実行フローの一例の説明図。
【符号の説明】
１１ａ〜１１ｆ  ゲート
１２ａ〜１２ｆ  モータ
１３ａ〜１３ｆ  水位計
１４ｅ、１４ｆ  越流堰
２  排除制御室用装置
３１  幹線
３２ｅ、３２ｆ  支線
４１ｃ、４１ｄ  ポンプ所
４２ｃ、４２ｄ  吐き室（分水槽）
４３ｃ、４３ｄ  送水用ポンプ
５ｃ〜５ｆ  合流水
【図１】
0003943370.tif 000002
【図２】
0003943370.tif 000003
【図３】
0003943370.tif 000004